(57)【要約】【課題】頭髪が支持部材の近傍においてヘアクリップの構成部材に引っ掛かることを十分に抑制できるヘアクリップガードおよびそれを備えたヘアクリップユニットを提供する。【解決手段】ヘアクリップユニット１０は、ヘアクリップ１２とヘアクリップガード１４とを含む。ヘアクリップ１２は、挟持片１６，１８、支持部材２０およびバネ２２を含む。挟持片１６は、挟持部２４ａと把持部２４ｂとを有し、挟持片１８は、挟持部２８ａと把持部２８ｂとを有する。ヘアクリップガード１４は、弾性部材を含む本体部３２と本体部３２の両面を覆うカバー部材３４，３６とを含む。ヘアクリップガード１４には、挟持部２４ａ，２８ａが貫通可能な一対の孔４０が設けられる。ヘアクリップガード１４は、挟持片１６，１８の回動方向に延びる環形状になりかつ支持部材２０、バネ２２および把持部２４ｂ，２８ｂを覆うように、ヘアクリップ１２に取り付けられる。【選択図】図５
2013106886.tif 000002
【特許請求の範囲】
【請求項１】
頭髪を挟持するための挟持部および人の指によって把持される把持部をそれぞれ有する一対の挟持片と、前記一対の挟持片を連結しかつ少なくとも一方の前記挟持片を回動可能に支持する支持部材と、前記支持部材に設けられかつ前記一対の挟持片の一対の前記挟持部が閉じる方向に前記一対の挟持片を付勢する付勢部材とを含み、前記一対の挟持部が少なくとも前記支持部材の一方側に設けられかつ前記一対の挟持片の一対の前記把持部が少なくとも前記支持部材の他方側に設けられるヘアクリップに取り付け可能なヘアクリップガードであって、
弾性材料を含みかつ前記一対の前記挟持部がそれぞれ貫通可能な少なくとも一対の孔を有する本体部を備え、
前記本体部は、前記ヘアクリップの前記一対の挟持部が前記一対の孔にそれぞれ差し込まれた状態において、前記少なくとも一方の挟持片の回動方向に延びる環形状になりかつ前記支持部材、前記一対の把持部および前記付勢部材を覆うように前記ヘアクリップに取り付けられる、ヘアクリップガード。
【請求項２】
前記本体部は曲折可能な板状に形成され、第１端部と、前記第１端部に接続されるべき第２端部とを有し、
前記少なくとも一対の孔は、前記第１端部と前記第２端部との間に設けられ、
前記ヘアクリップの前記一対の挟持部が前記一対の孔にそれぞれ差し込まれた状態において前記本体部が前記環形状を有するように、前記第１端部と前記第２端部とが接続される、請求項１に記載のヘアクリップガード。
【請求項３】
前記第１端部と前記第２端部とは予め接続されている、請求項２に記載のヘアクリップガード。
【請求項４】
前記第１端部と前記第２端部とを着脱するための着脱部をさらに備える、請求項２に記載のヘアクリップガード。
【請求項５】
前記本体部の少なくとも一部を覆うカバー部材をさらに備え、
前記カバー部材の静摩擦係数は前記本体部の静摩擦係数よりも小さい、請求項１から４のいずれかに記載のヘアクリップガード。
【請求項６】
前記カバー部材の一部が露出するように前記カバー部材に設けられる滑り止め部をさらに備え、
前記本体部は、前記本体部が環形状の状態において外面となる第１面および内面となる第２面を有し、
前記カバー部材は、少なくとも前記第１面に設けられる、請求項５に記載のヘアクリップガード。
【請求項７】
前記少なくとも一対の孔は、前記一対の挟持部がそれぞれ貫通可能な３つ以上の孔を含む、請求項１から６のいずれかに記載のヘアクリップガード。
【請求項８】
前記本体部は、クロロプレンゴムを含む、請求項１から７のいずれかに記載のヘアクリップガード。
【請求項９】
頭髪を挟持するための挟持部および人の指によって把持される把持部をそれぞれ有する一対の挟持片と、前記一対の挟持片を連結しかつ少なくとも一方の前記挟持片を回動可能に支持する支持部材と、前記支持部材に設けられかつ前記一対の挟持片の一対の前記挟持部が閉じる方向に前記一対の挟持片を付勢する付勢部材とを含み、前記一対の挟持部が少なくとも前記支持部材の一方側に設けられかつ前記一対の挟持片の一対の前記把持部が少なくとも前記支持部材の他方側に設けられるヘアクリップ、および
請求項１から８のいずれかに記載のヘアクリップガードを備えるヘアクリップユニット。
【発明の詳細な説明】
【技術分野】
【０００１】
この発明はヘアクリップガードおよびヘアクリップユニットに関し、より特定的には、ヘアクリップに取り付けられるヘアクリップガードおよびそれを備えたヘアクリップユニットに関する。
【背景技術】
【０００２】
従来、頭髪を束ねるためにヘアクリップが用いられている。
図１１は、従来のヘアクリップの一例を示す斜視図である。図１１に示すヘアクリップ１は、一対の挟持片２，３、一対の挟持片２，３を連結しかつ挟持片２，３の少なくとも一方を回動可能に支持する支持部材４、および支持部材４に設けられるバネ５を有する。ヘアクリップ１においては、バネ５として、ダブルトーションバネが用いられる。
【０００３】
挟持片２は、頭髪を挟むための挟持部２ａ、人の指によって把持される把持部２ｂ、および挟持片３側に向かって突出する一対の連結部２ｃを有する。同様に、挟持片３は、挟持部３ａ、把持部３ｂおよび一対の連結部３ｃを有する。一対の連結部３ｃが一対の連結部２ｃの内側に嵌め込まれた状態で、一対の連結部２ｃと一対の連結部３ｃとが支持部材４によって連結される。バネ５は、一対の挟持部２ａ，３ａが閉じる方向に一対の挟持片２，３を付勢する。
【０００４】
ヘアクリップ１によって頭髪を束ねる際には、一対の挟持部２ａ，３ａの間に頭髪を滑り込ませるようにして、一対の挟持部２ａ，３ａによって頭髪を挟持する。このとき、支持部材４の近傍に頭髪が入り込み、支持部材４の近傍においてヘアクリップ１の構成部材（たとえば、連結部２ｃ，３ｃ、支持部材４またはバネ５）に頭髪が引っ掛かってしまうことがある。これにより、ヘアクリップ１の使用者が痛みを感じたり、頭髪が傷ついたりすることがある。
【０００５】
そこで、上記のような頭髪の引っ掛かりを防止するための技術が提案されている。
たとえば、特許文献１には、ヘアクリップ用カバーが開示されている。このヘアクリップ用カバーは、連結片（上記の連結部２ｃ，３ｃに相当）よりも挟持部（上記の挟持部２ａ，３ａに相当）側において、一対の挟持体（上記の挟持片２，３に相当）を囲むように設けられる環状部を有する。環状部には、連結片よりも挟持部側において一対の挟持体の間を通るように介在部が設けられる。特許文献１には、上記のような構成を有するヘアクリップ用カバーをヘアクリップに取り付けることによって、連結片と連結片との間およびばね部材に頭髪が巻き込まれることを防止できることが記載されている。
【先行技術文献】
【特許文献】
【０００６】
【特許文献１】特開２００４−４７０号公報
【発明の概要】
【発明が解決しようとする課題】
【０００７】
しかしながら、特許文献１に開示されているヘアクリップ用カバーを上述のヘアクリップ１に取り付けたとしても、頭髪が把持部２ｂ，３ｂ側から支持部材４の近傍に入り込むことを十分に防止できない。そのため、頭髪が支持部材４の近傍においてヘアクリップ１の構成部材に引っ掛かることを十分に防止できない。
【０００８】
それゆえに、この発明の主たる目的は、頭髪が支持部材の近傍においてヘアクリップの構成部材に引っ掛かることを十分に抑制できるヘアクリップガードおよびそれを備えたヘアクリップユニットを提供することである。
【課題を解決するための手段】
【０００９】
上述の目的を達成するために、請求項１に記載のヘアクリップガードは、頭髪を挟持するための挟持部および人の指によって把持される把持部をそれぞれ有する一対の挟持片と、一対の挟持片を連結しかつ少なくとも一方の挟持片を回動可能に支持する支持部材と、支持部材に設けられかつ一対の挟持片の一対の挟持部が閉じる方向に一対の挟持片を付勢する付勢部材とを含み、一対の挟持部が少なくとも支持部材の一方側に設けられかつ一対の挟持片の一対の把持部が少なくとも支持部材の他方側に設けられるヘアクリップに取り付け可能なヘアクリップガードであって、弾性材料を含みかつ一対の挟持部がそれぞれ貫通可能な少なくとも一対の孔を有する本体部を備え、本体部は、ヘアクリップの一対の挟持部が一対の孔にそれぞれ差し込まれた状態において、少なくとも一方の挟持片の回動方向に延びる環形状になりかつ支持部材、一対の把持部および付勢部材を覆うようにヘアクリップに取り付けられることを特徴とする。
【００１０】
請求項２に記載のヘアクリップガードは、請求項１に記載のヘアクリップガードにおいて、本体部は曲折可能な板状に形成され、第１端部と、第１端部に接続されるべき第２端部とを有し、少なくとも一対の孔は、第１端部と第２端部との間に設けられ、ヘアクリップの一対の挟持部が一対の孔にそれぞれ差し込まれた状態において本体部が環形状を有するように、第１端部と第２端部とが接続されることを特徴とする。
【００１１】
請求項３に記載のヘアクリップガードは、請求項２に記載のヘアクリップガードにおいて、第１端部と第２端部とは予め接続されていることを特徴とする。
【００１２】
請求項４に記載のヘアクリップガードは、請求項２に記載のヘアクリップガードにおいて、第１端部と第２端部とを着脱するための着脱部をさらに備えることを特徴とする。
【００１３】
請求項５に記載のヘアクリップガードは、請求項１から４のいずれかに記載のヘアクリップガードにおいて、本体部の少なくとも一部を覆うカバー部材をさらに備え、カバー部材の静摩擦係数は本体部の静摩擦係数よりも小さいことを特徴とする。
【００１４】
請求項６に記載のヘアクリップガードは、請求項５に記載のヘアクリップガードにおいて、カバー部材の一部が露出するようにカバー部材に設けられる滑り止め部をさらに備え、本体部は、本体部が環形状の状態において外面となる第１面および内面となる第２面を有し、カバー部材は、少なくとも第１面に設けられることを特徴とする。
【００１５】
請求項７に記載のヘアクリップガードは、請求項１から６のいずれかに記載のヘアクリップガードにおいて、少なくとも一対の孔は、一対の挟持部がそれぞれ貫通可能な３つ以上の孔を含むことを特徴とする。
【００１６】
請求項８に記載のヘアクリップガードは、請求項１から７のいずれかに記載のヘアクリップガードにおいて、本体部は、クロロプレンゴムを含むことを特徴とする。
【００１７】
請求項９に記載のヘアクリップユニットは、頭髪を挟持するための挟持部および人の指によって把持される把持部をそれぞれ有する一対の挟持片と、一対の挟持片を連結しかつ少なくとも一方の挟持片を回動可能に支持する支持部材と、支持部材に設けられかつ一対の挟持片の一対の挟持部が閉じる方向に一対の挟持片を付勢する付勢部材とを含み、一対の挟持部が少なくとも支持部材の一方側に設けられかつ一対の挟持片の一対の把持部が少なくとも支持部材の他方側に設けられるヘアクリップ、および請求項１から８のいずれかに記載のヘアクリップガードを備える。
【００１８】
請求項１に記載のヘアクリップガードでは、本体部は、少なくとも一方の挟持片の回動方向に延びる環形状になりかつ支持部材、一対の把持部および付勢部材を覆うようにヘアクリップに取り付けられる。これにより、ヘアクリップによって頭髪を束ねる際に、頭髪が挟持部側から支持部材の近傍に入り込むことを抑制できるだけではなく、頭髪が把持部側から支持部材の近傍に入り込むことをも抑制できる。その結果、頭髪が支持部材の近傍においてヘアクリップの構成部材に引っ掛かること十分に抑制できる。請求項９に記載のヘアクリップユニットについても同様である。
【００１９】
請求項２に記載のヘアクリップガードでは、曲折可能な板状の本体部の第１端部と第２端部とを接続することによって、本体部を環形状にすることができる。この場合、複雑な製造工程を経ることなく本体部を容易に環形状にできるので、ヘアクリップガードの製造コストを低減できる。
【００２０】
請求項３に記載のヘアクリップガードでは、ヘアクリップガードをヘアクリップに取り付ける際に第１端部と第２端部とを接続しなくてよい。それにより、ヘアクリップガードをヘアクリップに素早く取り付けることができる。また、第１端部と第２端部とが着脱可能になるようにヘアクリップガードを構成する場合に比べて、ヘアクリップガードを簡単に構成できる。それにより、ヘアクリップガードの製造コストをさらに低減できる。
【００２１】
請求項４に記載のヘアクリップガードでは、一対の孔に一対の挟持部をそれぞれ差し込んだ後に、第１端部と第２端部とを接続することができる。これにより、ヘアクリップガードをヘアクリップに容易に取り付けることができる。また、ヘアクリップからヘアクリップガードを取り外す際には、第１端部と第２端部とを予め切り離すことができる。これにより、ヘアクリップからヘアクリップガードを容易に取り外すことができる。
【００２２】
請求項５に記載のヘアクリップガードでは、本体部をカバー部材によって適切に覆うことによって、静摩擦係数が大きい材料を本体部に用いた場合でも、ヘアクリップガード上で頭髪を十分に滑らせることができる。それにより、使用者は、ヘアクリップガードが取り付けられたヘアクリップによって、より快適に頭髪を束ねることができる。また、カバー部材によって本体部を適切に覆うことによって、本体部の劣化を抑制できる。
【００２３】
請求項６に記載のヘアクリップガードでは、本体部の第１面（外面）にカバー部材が設けられ、さらにカバー部材に滑り止め部が設けられる。この場合、一対の把持部を指によって把持する際に、指が滑ってしまうことを抑制できる。
【００２４】
請求項７に記載のヘアクリップガードでは、ヘアクリップの寸法および形状等に応じて、３つ以上の孔から適宜２つの孔を選択して一対の挟持部を差し込むことができる。これにより、異なる寸法および形状を有する種々のヘアクリップにも、ヘアクリップガードを容易かつ適切に取り付けることができる。
【００２５】
請求項８に記載のヘアクリップガードでは、本体部に適度な弾性をもたせることができるので、一対の把持部を掴みやすくなる。
【発明の効果】
【００２６】
この発明によれば、ヘアクリップに取り付けることによって頭髪が支持部材の近傍においてヘアクリップの構成部材に引っ掛かることを十分に抑制できるヘアクリップガードおよびそれを備えたヘアクリップユニットが得られる。
【図面の簡単な説明】
【００２７】
【図１】この発明の一実施形態のヘアクリップユニットを示す斜視図である。
【図２】ヘアクリップを示す斜視図である。
【図３】ヘアクリップガードを示す展開図であり、（ａ）はヘアクリップガードを示す平面図であり、（ｂ）はヘアクリップガードを示す側面図である。
【図４】一対の挟持部が閉じられた状態のヘアクリップユニットを示す斜視図である。
【図５】一対の挟持部が開かれた状態のヘアクリップユニットを示す斜視図である。
【図６】寸法が小さいヘアクリップにヘアクリップガードを取り付けた状態を示す斜視図である。
【図７】寸法が大きいヘアクリップにヘアクリップガードを取り付けた状態を示す斜視図である。
【図８】この発明の他の実施形態に係るヘアクリップガードを示す展開図である。
【図９】この発明のさらに他の実施形態に係るヘアクリップガードを示す側面図である。
【図１０】この発明のその他の実施形態に係るヘアクリップガードを示す側面図である。
【図１１】従来のヘアクリップの一例を示す斜視図である。
【発明を実施するための形態】
【００２８】
以下、この発明の実施形態について図面を参照して説明する。以下においては、この発明に係るヘアクリップガードおよびそれを備えたヘアクリップユニットについて説明する。
【００２９】
図１は、この発明の一実施形態のヘアクリップユニット１０を示す斜視図である。
【００３０】
図１を参照して、ヘアクリップユニット１０は、ヘアクリップ１２およびヘアクリップガード１４を含む。
【００３１】
図２は、ヘアクリップ１２を示す斜視図である。
【００３２】
図２を参照して、ヘアクリップ１２は、一対の挟持片１６，１８、挟持片１６と挟持片１８とを連結しかつ挟持片１６および挟持片１８のうちの少なくとも一方を回動可能に支持する支持部材２０、ならびに支持部材２０に設けられるバネ２２を含む。この実施形態では、バネ２２が付勢部材に相当する。
【００３３】
挟持片１６は、少なくとも第１方向Ｘ１に延びる板状の主部２４と、主部２４の両側から挟持片１８側に向かって突出する一対の板状の連結部２６とを有する。主部２４は、頭髪を挟持するための挟持部２４ａおよび人の指によって把持される把持部２４ｂを含む。挟持部２４ａは、第１方向Ｘ１において少なくとも支持部材２０の一方側に設けられ、把持部２４ｂは、第１方向Ｘ１において少なくとも支持部材２０の他方側に設けられる。
【００３４】
挟持片１８は、少なくとも第１方向Ｘ１に延びる板状の主部２８と、主部２８の両側から挟持片１６側に向かって突出する一対の板状の連結部３０とを有する。主部２８は、頭髪を挟持するための挟持部２８ａおよび人の指によって把持される把持部２８ｂを含む。挟持部２８ａは、第１方向Ｘ１において少なくとも支持部材２０の一方側に設けられ、把持部２８ｂは、第１方向Ｘ１において少なくとも支持部材２０の他方側に設けられる。一対の連結部３０は、一対の連結部２６の間に嵌め込まれる。
【００３５】
支持部材２０は、一対の連結部２６と一対の連結部３０とを連結する。この実施形態では、支持部材２０は、一対の連結部２６に固定されかつ一対の連結部３０を回動可能に支持する。これにより、支持部材２０を中心として挟持片１６および挟持片１８が第２方向Ｘ２に回動可能となる。
【００３６】
この実施形態では、バネ２２としてダブルトーションバネが用いられる。なお、ヘアクリップ１２は従来の一般的なヘアクリップと同様の構成を有するのでバネ２２の詳細な説明は省略するが、バネ２２は、支持部材２０に嵌められるとともに把持部２４ｂ，２８ｂに係止される。このような構成によって、バネ２２は、把持部２４ｂ，２８ｂを互いに離れる方向に付勢する。言い換えると、バネ２２は、挟持部２４ａ，２８ａが閉じる方向に挟持片１６，１８を付勢する。
【００３７】
図３は、ヘアクリップガード１４を示す展開図であり、（ａ）はヘアクリップガード１４を示す平面図であり、（ｂ）はヘアクリップガード１４を示す側面図である。
【００３８】
図３を参照して、ヘアクリップガード１４は、板状の本体部３２、本体部３２を挟むように設けられるカバー部材３４，３６、およびカバー部材３４に設けられる複数の滑り止め部３８を含む。なお、図３（ｂ）および後述の図４〜図７においては、図面が煩雑になることを避けるために滑り止め部３８の図示を省略している。また、図１、図３および後述の図４〜図７においては、カバー部材３４，３６を明確にするためにカバー部材３４，３６の厚みを大きくしているが、カバー部材３４，３６の厚みは図示されたものよりも小さくてもよい。
【００３９】
本体部３２は、弾性材料（たとえば、発泡ゴム）を含み、曲折可能に形成される。この実施形態では、本体部３２は、クロロプレンゴムを含む。図１および図３（ｂ）を参照して、本体部３２の第１端部３２ａ（図３（ｂ）参照）と第２端部３２ｂ（図３（ｂ）参照）とは、本体部３２（ヘアクリップガード１４）が環形状を有するように予め接続される。この実施形態では、第１端部３２ａと第２端部３２ｂとは、カバー部材３４，３６とともに縫合される。これにより、第１端部３２ａと第２端部３２ｂとがカバー部材３６を挟んで接続される。なお、図面が煩雑になることを避けるために、第１端部３２ａと第２端部３２ｂとを縫合するための糸は図示していない。
【００４０】
図３（ｂ）を参照して、本体部３２は、本体部３２が環形状にされたときに外面となる第１面３２ｃおよび内面となる第２面３２ｄを有する。カバー部材３４は、第１面３２ｃの全面を覆うように設けられ、カバー部材３６は、第２面３２ｄの全面を覆うように設けられる。カバー部材３４，３６はそれぞれ、たとえば、接着剤を用いて本体部３２に貼り付けられる。カバー部材３４，３６の静摩擦係数は、本体部３２の静摩擦係数よりも小さい。カバー部材３４，３６はそれぞれ、伸縮性材料を含む。カバー部材３４，３６としてはそれぞれ、たとえばニット生地を用いることができる。カバー部材３４，３６はそれぞれ、たとえばポリエステルを含む。
【００４１】
図３（ａ）を参照して、カバー部材３４の表面の一部が露出するように、複数の滑り止め部３８がカバー部材３４の表面に設けられる。滑り止め部３８は、たとえば、カバー部材３４の表面にラバープリントされる。この実施形態では、滑り止め部３８は、六角形状を有する。滑り止め部３８は、たとえば、エチレン酢酸ビニル共重合体（ＥＶＡ）および二酸化チタン（チタニウムホワイト）を含む。
【００４２】
図３（ａ）および（ｂ）を参照して、ヘアクリップガード１４は、第１端部３２ａと第２端部３２ｂとの間において厚み方向に貫通する一対のスリット状の孔４０を有する。この実施形態では、一対の孔４０は、ヘアクリップガード１４の中心を挟んでヘアクリップガード１４の幅方向に延びるように設けられる。
【００４３】
図３（ｂ）を参照して、各孔４０は、本体部３２に形成される孔４０ａ、カバー部材３４に形成される孔４０ｂ、およびカバー部材３６に形成される孔４０ｃを含む。
【００４４】
図４および図５は、ヘアクリップ１２にヘアクリップガード１４を取り付けた状態のヘアクリップユニット１０を示す斜視図であり、図４は、一対の挟持部２４ａ，２８ａが閉じられた状態のヘアクリップユニット１０を示し、図５は、一対の挟持部２４ａ，２８ａが開かれた状態のヘアクリップユニット１０を示す。
【００４５】
図４および図５を参照して、ヘアクリップガード１４（本体部３２）の幅（支持部材２０（図５参照）に対して平行な方向の長さ）は、把持部２４ｂ，２８ｂの幅（支持部材２０に対して平行な方向の長さ）よりも十分に大きい。ヘアクリップガード１４をヘアクリップ１２に取り付ける際には、ヘアクリップガード１４の内側から一対の孔４０に挟持部２４ａ，２８ａを差し込む。そして、挟持部２４ａ，２８ａの大部分をヘアクリップガード１４の外側に突出させるとともに、ヘアクリップガード１４（本体部３２）が第２方向Ｘ２（図２参照：挟持片１６，１８の回動方向）に延びる環形状となるようにヘアクリップガード１４の位置を調整する。これにより、図５を参照して、支持部材２０、バネ２２、把持部２４ｂ，２８ｂ、一対の連結部２６、および一対の連結部３０がヘアクリップガード１４（本体部３２）によって覆われる。
【００４６】
以下、ヘアクリップユニット１０の作用効果を説明する。
ヘアクリップガード１４（本体部３２）は、挟持片１６，１８の回動方向（第２方向Ｘ２）に延びる環形状になりかつ支持部材２０、バネ２２、および把持部２４ｂ，２８ｂを覆うようにヘアクリップ１２に取り付けられる。これにより、ヘアクリップ１２によって頭髪を束ねる際に、頭髪が挟持部２４ａ，２８ａ側から支持部材２０の近傍に入り込むことを抑制できるだけではなく、頭髪が把持部２４ｂ，２８ｂ側から支持部材２０の近傍に入り込むことをも抑制できる。その結果、頭髪が支持部材２０の近傍においてヘアクリップ１２の構成部材（たとえば、支持部材２０、バネ２２、または連結部２６，３０）に引っ掛かることを十分に抑制できる。
【００４７】
ヘアクリップユニット１０では、曲折可能な板状の本体部３２の第１端部３２ａと第２端部３２ｂとを接続することによって、ヘアクリップガード１４（本体部３２）を環形状にすることができる。この場合、複雑な製造工程を経ることなくヘアクリップガード１４（本体部３２）を容易に環形状にできるので、ヘアクリップガード１４の製造コストを低減できる。
【００４８】
ヘアクリップユニット１０では、ヘアクリップガード１４（本体部３２）の第１端部３２ａと第２端部３２ｂとが予め接続される。この場合、ヘアクリップユニット１０の使用者は、ヘアクリップガード１４をヘアクリップ１２に取り付ける際に第１端部３２ａと第２端部３２ｂとを接続しなくてよい。それにより、ヘアクリップガード１４をヘアクリップ１２に素早く取り付けることができる。また、第１端部３２ａと第２端部３２ｂとが着脱可能になるようにヘアクリップガードを構成する場合に比べて、ヘアクリップガードを簡単に構成できる。それにより、ヘアクリップガード１４の製造コストをさらに低減できる。
【００４９】
ヘアクリップユニット１０では、ヘアクリップガード１４の本体部３２がカバー部材３４，３６によって覆われる。これにより、静摩擦係数が大きい材料を本体部３２に用いた場合でも、ヘアクリップガード１４上で頭髪を十分に滑らせることができる。それにより、使用者は、ヘアクリップガード１４が取り付けられたヘアクリップ１２によって、より快適に頭髪を束ねることができる。また、カバー部材３４，３６によって本体部３２の劣化を抑制できる。
【００５０】
ヘアクリップユニット１０では、カバー部材３４に複数の滑り止め部３８が設けられる。これにより、把持部２４ｂ，２８ｂを指によって把持する際に、指が滑ってしまうことを抑制できる。
【００５１】
ヘアクリップユニット１０では、ヘアクリップガード１４の本体部３２はクロロプレンゴムを含む。この場合、本体部３２に適度な弾性をもたせることができるので、把持部２４ｂ，２８ｂを掴みやすくなる。
【００５２】
ヘアクリップユニット１０では、指によって把持部２４ｂ，２８ｂを把持する際に、指と把持部２４ｂ，２８ｂとによってヘアクリップガード１４が挟まれる。この場合、ヘアクリップガード１４が緩衝材として機能するので、ヘアクリップユニット１０の使用者は、把持部２４ｂ，２８ｂを快適に把持できる。
【００５３】
ヘアクリップユニット１０では、支持部材２０、バネ２２、把持部２４ｂ，２８ｂ、一対の連結部２６、および一対の連結部３０がヘアクリップガード１４によって覆われる。これにより、支持部材２０、バネ２２、把持部２４ｂ，２８ｂ、一対の連結部２６、および一対の連結部３０のいずれかが破損した場合でも、破損した部材によって頭部および指等が傷つけられることを防止できる。
【００５４】
上述のように、ヘアクリップガード１４の本体部３２は弾性材料を含むので、本体部３２はヘアクリップの寸法および形状に応じて変形する。また、カバー部材３４，３６はそれぞれ伸縮性材料を含むので、本体部３２の変形に応じて伸縮する。このような構成によって、ヘアクリップガード１４は、ヘアクリップ１２とは異なる寸法および形状を有する種々のヘアクリップにも適切に取り付けることができる。
【００５５】
図６は、ヘアクリップ１２よりも小さい寸法を有するヘアクリップ１２ａにヘアクリップガード１４を取り付けた状態を示す斜視図であり、図７は、ヘアクリップ１２よりも大きい寸法を有するヘアクリップ１２ｂにヘアクリップガード１４を取り付けた状態を示す斜視図である。なお、ヘアクリップ１２ａ，１２ｂは、各構成部材の寸法がヘアクリップ１２と異なる点を除いて、ヘアクリップ１２と同様の構成を有する。
【００５６】
図６および図７を参照して、ヘアクリップガード１４は、ヘアクリップ１２よりも小さい寸法を有するヘアクリップ１２ａにも適切に取り付けることができ、かつヘアクリップ１２よりも大きい寸法を有するヘアクリップ１２ｂにも適切に取り付けることができる。したがって、この発明に係るヘアクリップガード１４は、ヘアクリップ１２と異なる寸法を有するヘアクリップ１２ａ，１２ｂに取り付けられる場合でも、ヘアクリップ１２に取り付けられる場合と同様の作用効果を奏することができる。なお、上記においては、ヘアクリップ１２と異なる寸法を有するヘアクリップ１２ａ，１２ｂにヘアクリップガード１４を取り付ける場合について説明したが、ヘアクリップ１２とは異なる形状を有するヘアクリップにヘアクリップガード１４を取り付ける場合でも、ヘアクリップガード１４を適切にヘアクリップに取り付けることができる。したがって、この発明に係るヘアクリップガード１４は、ヘアクリップ１２と異なる形状を有するヘアクリップに取り付けられる場合でも、ヘアクリップ１２に取り付けられる場合と同様の作用効果を奏することができる。
【００５７】
上述の実施形態では、一対の孔４０を有するヘアクリップガード１４について説明したが、孔４０の数は２つに限定されず、３つ以上の孔４０がヘアクリップガードに設けられてもよい。
【００５８】
図８は、この発明の他の実施形態に係るヘアクリップガード１４ａを示す展開図である。
【００５９】
図８を参照して、ヘアクリップガード１４ａがヘアクリップガード１４と異なるのは、３つの孔４０を有する点である。３つの孔４０が設けられる点を除いてヘアクリップガード１４ａの構成はヘアクリップガード１４の構成と等しい。
【００６０】
ヘアクリップガード１４ａをヘアクリップに取り付ける場合には、ヘアクリップの寸法および形状等に応じて、３つの孔４０から適宜２つの孔４０を選択して一対の挟持部を差し込むことができる。これにより、異なる寸法および形状を有する種々のヘアクリップにも、ヘアクリップガード１４ａを容易かつ適切に取り付けることができる。
【００６１】
上述の実施形態では、本体部３２の第１端部３２ａと第２端部３２ｂとが縫合される場合について説明したが、他の方法（たとえば、接着剤を用いた接続）によって第１端部３２ａと第２端部３２ｂとが接続されてもよい。
【００６２】
上述の実施形態では、本体部３２の第１端部３２ａと第２端部３２ｂとが予め接続される場合について説明したが、第１端部３２ａと第２端部３２ｂとが着脱できるように、ヘアクリップガードが構成されてもよい。
【００６３】
図９は、この発明のさらに他の実施形態に係るヘアクリップガード１４ｂを示す側面図である。
【００６４】
図９を参照して、ヘアクリップガード１４ｂがヘアクリップガード１４と異なるのは、第１端部３２ａと第２端部３２ｂとが縫合されていない点、および第１端部３２ａと第２端部３２ｂとを着脱するための面ファスナー４２を備える点である。第１端部３２ａと第２端部３２ｂとが縫合されていない点および面ファスナー４２を備える点を除いて、ヘアクリップガード１４ｂの構成はヘアクリップガード１４の構成と等しい。この実施形態では、面ファスナー４２が着脱部に相当する。なお、図９においては、図面が煩雑になることを避けるために、滑り止め部３８は図示していない。
【００６５】
面ファスナー４２は、第１留め部４２ａおよび第２留め部４２ｂを含む。この実施形態では、第１留め部４２ａはフック部であり、第２留め部４２ｂはループ部である。第１留め部４２ａはカバー部材３６の一端部に設けられ、第２留め部４２ｂはカバー部材３６の他端部に設けられる。
【００６６】
ヘアクリップガード１４ｂでは、一対の孔４０（図３参照）にヘアクリップの一対の挟持部をそれぞれ差し込んだ後に、第１留め部４２ａと第２留め部４２ｂとを接続することによって第１端部３２ａと第２端部３２ｂとを接続することができる。これにより、ヘアクリップガード１４ｂをヘアクリップに容易に取り付けることができる。また、ヘアクリップからヘアクリップガード１４ｂを取り外す際には、第１端部３２ａと第２端部３２ｂとを予め切り離すことができる。これにより、ヘアクリップからヘアクリップガード１４ｂを容易に取り外すことができる。
【００６７】
なお、第１留め部４２ａおよび第２留め部４２ｂのうちの一方がカバー部材３４に設けられてもよい。この場合、第１端部３２ａと第２端部３２ｂとは、カバー部材３４，３６および面ファスナー４２を挟んで接続される。なお、第１留め部４２ａおよび第２留め部４２ｂの位置が入れ替わってもよい。
【００６８】
着脱部は面ファスナーに限定されない。たとえば、点ファスナー（たとえば、スナップボタン）または線ファスナー（スライドファスナー）を着脱部として用いてもよい。
【００６９】
上述の実施形態では、第１端部３２ａと第２端部３２ｂとを接続することによってヘアクリップガード（本体部３２）を環形状にする場合について説明したが、ヘアクリップガードを環形状にする方法は上述の例に限定されない。
【００７０】
図１０は、この発明のその他の実施形態に係るヘアクリップガード１４ｃを示す側面図である。
【００７１】
ヘアクリップガード１４ｃは、円筒状の本体部４４、本体部４４の第１面（外面）４４ａに設けられるカバー部材４６、および本体部４４の第２面（内面）４４ｂに設けられるカバー部材４８を含む。また、ヘアクリップガード１４ｃには、上述の孔４０と同様の一対の孔５０が形成される。本体部４４は、上述の本体部３２と同様の材料によって形成され、カバー部材４６，４８はそれぞれ、上述のカバー部材３４，３６と同様の材料によって形成される。カバー部材４６は、第１面４４ａの全面を覆い、カバー部材４８は、第２面４４ｂの全面を覆う。カバー部材４６には、上述の滑り止め部３８と同様の構成を有する複数の滑り止め部（図示せず）が設けられる。
【００７２】
ヘアクリップガード１４ｃにおいても、上述のヘアクリップガード１４と同様に任意のヘアクリップに取り付けることによって、ヘアクリップガード１４と同様の作用効果が奏される。また、ヘアクリップガード１４ｃでは、本体部４４が予め円筒状に形成されるので、本体部４４を環形状にするために本体部４４の一部同士を接続する必要がない。それにより、ヘアクリップガード１４ｃの構成を簡単にできる。
【００７３】
上述の実施形態では、ヘアクリップガードが六角形の滑り止め部を有する場合について説明したが、滑り止め部の形状は上述の例に限定されない。たとえば、滑り止め部が六角形以外の多角形状（三角形、四角形、または五角形等）を有してもよく、円形状を有してもよく、楕円形状を有してもよい。
【００７４】
上述の実施形態では、複数の滑り止め部を有するヘアクリップガードについて説明したが、滑り止め部が設けられなくてもよい。
【００７５】
上述の実施形態では、第１面の全面を覆うカバー部材および第２面の全面を覆うカバー部材を有するヘアクリップガードについて説明したが、第１面の一部のみを覆うようにカバー部材が設けられてもよく、第２面の一部のみを覆うようにカバー部材が設けられてもよい。
【００７６】
上述の実施形態では、本体部の両面にカバー部材が設けられる場合について説明したが、本体部の第１面のみ、または第２面のみにカバー部材が設けられてもよい。また、カバー部材が設けられなくてもよい。
【００７７】
上述の実施形態では、付勢部材としてダブルトーションバネを用いる場合について説明したが、通常のトーションバネを付勢部材として用いてもよく、他の種類のバネを付勢部材として用いてもよい。
【００７８】
上述の実施形態では、平面視においてスリット状の孔４０，５０をヘアクリップガードに設ける場合について説明したが、ヘアクリップガードに設けられる孔の形状および寸法は上述の例に限定されない。ヘアクリップガードに設けられる孔は、たとえば、ヘアクリップ（特に挟持部）の形状に対応する形状に形成することが好ましい。
【００７９】
上述の実施形態では、ヘアクリップガードの本体部がクロロプレンゴムを含む場合について説明したが、本体部に用いられる弾性材料はクロロプレンゴムに限定されない。たとえば、本体部がエチレン酢酸ビニル共重合体（ＥＶＡ）を含んでもよい。
【符号の説明】
【００８０】
１０      ヘアクリップユニット
１２，１２ａ，１２ｂ      ヘアクリップ
１４，１４ａ，１４ｂ，１４ｃ      ヘアクリップガード
１６，１８      挟持片
２０      支持部材
２２      バネ
２４ａ，２８ａ      挟持部
２４ｂ，２８ｂ      把持部
２６，３０      連結部
３２，本体部      本体部
３２ａ      第１端部
３２ｂ      第２端部
３２ｃ，４４ａ      第１面
３２ｄ，４４ｂ      第２面
３４，３６，４６，４８      カバー部材
３８      滑り止め部
４０，４０ａ，４０ｂ，４０ｃ，５０      孔
４２      面ファスナー
Ｘ１      第１方向
Ｘ２      第２方向
【図１】
2013106886.tif 000003
【図２】
2013106886.tif 000004
【図３】
2013106886.tif 000005
【図４】
2013106886.tif 000006
【図５】
2013106886.tif 000007
【図６】
2013106886.tif 000008
【図７】
2013106886.tif 000009
【図８】
2013106886.tif 000010
【図９】
2013106886.tif 000011
【図１０】
2013106886.tif 000012
【図１１】
2013106886.tif 000013